(57)【要約】【課題】コネクタ内に完全に挿入．設置して使用するため、異物の侵入を防ぐことができ、複数の異なる規格、サイズのメモリカードを挿置、定位可能なプレート式メモリカードコネクタを提供する。【解決手段】主にベース１、該ベース上で自在に移動する基体２により構成する。該ベース一端に挿入端１１を形成し、両側にガイド溝１４を設置する。該ベースには押し戻しユニット１５を設置し、これにより該基体は該ベースの反対方向に向かい離脱する。該基体上にはメモリカードを設置可能な設置室２１を形成し、その両側にはスライド溝２２を設置し、該スライド溝はスライドレールユニット２３と該ガイド溝により相互に結合する。これにより、該基体は該ベース上において自在に移動可能な状態となり、こうして、プレート式メモリカードコネクタ構造を形成する。【選択図】図３
2004021974.tif 000002
【特許請求の範囲】
【請求項１】
主にベース、基体により構成し、
該ベースは一端に挿入端を形成し、両側の適当な位置にはガイド溝を設置し、該基体上にはメモリカードを設置可能な設置室を形成し、しかも、その両側にはスライド溝を設置し、該スライド溝はスライドレールユニットと該ガイド溝により相互に結合し、これにより、該基体は該ベース上において自在に移動可能な状態となり、こうして、プレート式メモリカードコネクタ構造を形成することを特徴とするプレート式メモリカードコネクタ。
【請求項２】
前記ベースの挿入端は内部に向かい挿入室を延長し、該挿入室の端面には水平方向のＣＦ接触端子及び挿入孔を設置することを特徴とする請求項１記載のプレート式メモリカードコネクタ。
【請求項３】
前記ベースの適当な位置には押し戻しユニットを設置し、これにより前記基体前記挿入端の外に向かい離脱することを特徴とする請求項１記載のプレート式メモリカードコネクタ。
【請求項４】
前記押し戻しユニットは押し戻し部品及び戻し棒により組成し、該押し戻しユニットは前記ベース１の片側上に設置し、しかも一端にはプッシュ部を形成し、反対端は該戻し棒と相互に可動結合し、該戻し棒は前記ＣＦ接触端子上方の適当な位置に可動接続し、一端は該押し戻し部品と可動接続し、反対端はロック端を形成し、前記基体を前記挿入端に向かい外部へと退出させることを特徴とする請求項３記載のプレート式メモリカードコネクタ。
【請求項５】
前記ベース上方には別に蓋体を設置し、該蓋体によりコネクタ全体の構造強度は向上することを特徴とする請求項１記載のプレート式メモリカードコネクタ。
【請求項６】
前記基体の設置室は空間に重ねて使用可能であって、単一、或いは複数の異なる規格、サイズのメモリカードを挿置し、定位する槽室の形態を呈することを特徴とする請求項１記載のプレート式メモリカードコネクタ。
【請求項７】
前記基体は前記ベースの挿入孔の適当な位置に対応し、挿入縁を設置し、該挿入縁及び該挿入孔の結合により、前記ベースと前記基体の結合時、緩みや分離の状況を防ぐことができることを特徴とする請求項１記載のプレート式メモリカードコネクタ。
【請求項８】
前記設置室上には複数の接触部品を設置することを特徴とする請求項１記載のプレート式メモリカードコネクタ。
【発明の詳細な説明】
【０００１】
【発明の属する技術分野】
本発明は一種のコネクタ構造に関する。特に一種のプレート式設計のメモリカードコネクタ構造に係る。
【０００２】
【従来の技術】
科学技術の発展に伴い、データを保存するメモリは、コンピュータ、デジカメ、ＭＰ３、デジタルビデオカメラ、商用事務機器等に広く利用されている。該メモリはデジタル技術の進歩と市場ニーズに従い、容量はますます大きく、体積はますます小さくなって来ている。
現在市販されているコンパクトフラッシュカード（以下、ＣＦカード）、スマートメディアカード（以下、ＳＭカード）、マルチメディアカード（以下、ＭＭカード）、セキュアデジタルカード（以下、ＳＤカード）、メモリースティックカード（以下、ＭＳカード）等（以上、いずれも登録商標）の数種のメモリカードは薄く軽量で、市場ニーズに合致し、容量は６４ＭＢ以上を具えているため、体積が大きく携帯に不便な公知のディスクに取って代わりつつある。
該メモリカードはデータ保存後、読み出し書き込み装置を通してデータを読み出し或いは編集することができる。
【０００３】
公知の読み出し書き込み装置は、内部搭載式と外付け式に分けられる。
図１が示す公知のＰＣＭＣＩＡ（メモリカードの国際標準協会）コネクタは内部搭載式で、該コネクタの挿入スロット内にメモリカードを挿入し、該コネクタを設備端（即ち、ＰＣ）に挿置し、メモリカード上のデータを読み出すものである。
図２が示す外付け式カードリーダは、メモリカードを該カードリーダの挿入スロット内に直接挿置し、カードリーダを通して適当な伝送インターフェースとコンピュータ接続により、メモリカード内のデータを読み出すものである。
上記２種の読み出し書き込み装置共に、メモリカードの挿入スロット設計は外部に露出しているため、挿入スロットにはほこり等の異物が侵入し易く、しばしば損壊を招く。しかも、該挿入スロットの欠口形態は外観全体の美観を損なう。さらに、通常は単一規格のメモリカードにしか適用できないため、非常に不便である。
【０００４】
【発明が解決しようとする課題】
上記公知構造の欠点を解決するため、本発明はプレート式メモリカードコネクタの提供を課題とする。
そのプレート式基体はメモリカードを積載し、コネクタ内に完全に挿置した状態で使用されるため、異物の侵入を防ぎ、延いては損壊を防止する。
さらにその基体の設置室は単一、或いは複数の異なる規格、サイズのメモリカードを挿置、定位可能な挿入室形態に設計されるため、ＣＦカード、ＳＭカード、ＭＭカード、ＳＤカード、ＭＳカード、或いは他のＰＣカード等の数種のメモリカードすべてに適用可能であるため構造が簡単で即ちコストが低廉で、公知のコネクタ或いはカードリーダ等の読み出し書き込み装置が、上記の内２種以上のメモリカードを使用する時、二個以上の挿入スロットを設置しなければならないため、構造が複雑で、体積が大きくなり過ぎ、コストも高騰するという欠点を解消することができる。
【０００５】
【課題を解決するための手段】
上記課題を解決するため、本発明は下記のプレート式メモリカードコネクタを提供する。
主にベース、該ベース上で自在に移動する基体により構成する。
該ベース一端に挿入端を形成し、両側の適当な位置にはガイド溝を設置する。該ベースには押し戻しユニットを設置し、これにより該基体は該ベースの反対方向に向かい離脱する。該基体上にはメモリカードを設置可能な設置室を形成し、その両側にはスライド溝を設置し、該スライド溝はスライドレールユニットと該ガイド溝により相互に結合する。これにより、該基体は該ベース上において自在に移動可能な状態となり、こうして、プレート式メモリカードコネクタ構造を形成する。
【０００６】
【発明の実施の形態】
図３、４が示すように、本発明は主にベース１、該ベース１上において自由に移動可能な基体２により構成する。
該ベース１は一端に挿入端１１を形成し、該挿入端１１は内部に向かい挿入室１２を延長する。該挿入室１２の端面には水平方向のＣＦ接触端子１３及び挿入孔（図示なし）を設置する。しかも、該挿入室１２の両側の適当な位置にはガイド溝１４を設置する。また、該ベース１上には押し戻しユニット１５を設置し、該押し戻しユニット１５は押し戻し部品１６及び戻し棒１７により組成する。該押し戻しユニット１６は該ベース１の片側上に設置し、しかも一端にはプッシュ部１６１を形成し、反対端は戻し棒１７と相互に可動結合する。該戻し棒１７は該ＣＦ接触端子１３上方の適当な位置に可動接続し、一端は該押し戻し部品１６と可動接続する。反対端はロック端１８を形成し、該基体２を該挿入端１１に向かい外部へと退出させる。
【０００７】
該基体２上にはメモリカードを設置可能な設置室２１を形成する。しかも、その両側にはスライド溝２２を設置し、該スライド溝２２はスライドレールユニット２３と該ガイド溝１４により相互に結合する。これにより、該基体２はプレート形態を呈し、該ベース１上において自在に移動可能な状態となる。こうして、プレート式メモリカードコネクタ構造を形成する。
この種のコネクタは、メモリカードを直接プレート式の基体２上に設置し、該基体２を該ベース１内に挿入し、メモリカードを完全にコネクタ内に挿置し、データの読み出し書き込みを行うため、異物の侵入を防止し、コネクタ或いはメモリカードの損壊を防ぐことができる。さらに、挿入スロット口が露出しないため、その外観は全体的に整って美しい。
該ベース１上方には別に蓋体１９を設置する。該蓋体１９により該コネクタ全体の構造強度は向上する。
【０００８】
該基体２の設置室２１は空間に重ねて使用可能な特殊設計で、複数の異なる規格、サイズのメモリカードを挿置し、定位する槽室２４の形態を呈し、ＣＦカード、ＳＭカード、ＭＭカード、ＳＤカード、ＭＳカード、或いは他のＰＣカード等のすべてのメモリカードに対応可能である。こうして、コネクタ構造は大幅に単純化され、コスト低下、体積縮小の特性を具える。
さらに、該基体２は該ベース１挿入孔の適当な位置に対応し、挿入縁２５を設置する。該挿入縁２５及び挿入孔の結合により、該ベース１と該基体２の結合時、緩みや分離の状況を防ぐことができる。
また、本発明構造の設置室２１上には複数の接触部品２６を設置し、これにより、メモリカードの信号は外部へと伝送される。
【０００９】
【発明の効果】
上記のように、本発明のプレート式基体はメモリカードを積載し、コネクタ内に完全に挿置した状態で使用されるため、異物の侵入を防ぎ、延いては損壊を防止することができる。さらにその基体の設置室は単一規格、或いは複数の異なる規格、サイズのメモリカードを挿置、定位可能な挿入室形態に設計されるため、ＣＦカード、ＳＭカード、ＭＭカード、ＳＤカード、ＭＳカード、或いは他のＰＣカード等の数種のメモリカードすべてに適用可能であるため構造が簡単で即ちコストが低廉である。そのため、公知のコネクタ或いはカードリーダ等の読み出し書き込み装置が、上記の内２種以上のメモリカードを使用する時、二個以上の挿入スロットを設置しなければならず、構造が必然的に複雑になり、体積が大きくなり過ぎ、コストも高騰するという欠点を解消することができる。
【図面の簡単な説明】
【図１】公知のＰＣＭＣＩＡコネクタの指示図である。
【図２】公知の外付け式カードリーダの指示図である。
【図３】本発明の立体分解指示図である。
【図４】本発明の立体組み合わせ指示図である。
【符号の説明】
１　ベース
１１　挿入端
１２　挿入室
１３　ＣＦ接触端子
１４　ガイド溝
１５　押し戻しユニット
１６　押し戻し部品
１６１　プッシュ部
１７　戻し棒
１８　ロック端
１９　蓋体
２　基体
２１　設置室
２２　スライド溝
２３　スライドレールユニット
２４　槽室
２５　挿入縁
２６　接触部品
【図１】
2004021974.tif 000003
【図２】
2004021974.tif 000004
【図３】
2004021974.tif 000005
【図４】
2004021974.tif 000006